(57)【要約】      （修正有）【課題】堅固な折畳自動式傘の構造を提供する。【解決手段】傘は傘地２、中棒２２、上ろくろ２３、下ろくろ２４、トップ骨２５、受骨２６、他の相互に組み合う折畳傘骨、或いは更に中ろくろと圧縮バネ２３及び多数の引張骨２６１を具え、該上ろくろ周縁に傘地を支持する複数個のトップ骨を枢設し、下ろくろ周縁にトップ骨を支持する複数個の受骨を枢設し、中棒は伸縮可能な多段嵌挿構造とし、中棒内には圧縮バネを設置し、トップ骨を枢設した上ろくろの下に固定管２７を設置し、該固定管の上端と上ろくろを固接し、下ろくろを合わせて固定管の外に通して設置し、上ろくろの下に固定管を設けることで下ろくろが安定して固定管に沿って上下に摺動できるようにし、傘を堅固に支持して開いておけるようにし、傘を閉じるときは多段中棒全部を上ろくろ下方の固定管内に収容できるようにして、傘の体積と長さを最小にした。【選択図】図３
0003106536.tif 000002
【実用新案登録請求の範囲】
【請求項１】
堅固な多段折畳自動式傘において、傘は、傘地、中棒、上ろくろ、下ろくろ、トップ骨、受骨及び他の相互に組み合う多段の傘骨を具え、或いは更に、中ろくろ及び中・下ろくろの間に設置する圧縮バネ及び複数個の引線を具え、その内で該上ろくろ周縁に傘地を支持するトップ骨を複数個枢設し、下ろくろ周縁にトップ骨を支持する受骨を複数個枢設し、中棒は伸縮可能な多段嵌挿構造とし、且つ中棒内に圧縮バネを設置し、
トップ骨を枢設する上ろくろの下に固定管を設け、該固定管の上端と上ろくろを接続固定し、更に下ろくろを固定管の外側に通して設けて成ることを特徴とする堅固な多段折畳自動式傘の構造。
【請求項２】
前記固定管と上ろくろは、二つの部材を接続して構成してよく、一体成型としてもよいようにして成ることを特徴とする請求項１記載の堅固な多段折畳自動式傘の構造。
【請求項３】
前記固定管の横断面は円形、矩形、楕円形或いは多角形の中の任意の一種の形状とするようにして成ることを特徴とする請求項1記載の堅固な多段折畳自動式傘の構造。
【請求項４】
前記固定管の下端周縁に弧面リブを設けて成ることを特徴とする請求項１記載の堅固な多段折畳自動式傘の構造。
【請求項５】
前記中棒の最小外径部の上端と上ろくろを固接して成ることを特徴とする請求項１記載の堅固な多段折畳自動式傘の構造。
【請求項６】
前記中棒の最小外径部の上端に結合スライドパッキングを固設し、且つ該結合スライドパッキングを固定管内に設置するようにして成ることを特徴とする請求項１記載の堅固な多段折畳自動式傘の構造。
【請求項７】
前記結合スライドパッキング上に玉バネ孔と係止凹部を設け、該玉バネ孔内にバネと係止玉を収容し、該固定管には結合スライドパッキング係止凹部と係合する係止ブロック或いは係止当接部、及び係止玉と係合する係止孔をそれぞれ設け、係止ブロック或いは係止当接部は中棒を引き伸ばした状態で結合スライドパッキングの係止凹部と相互に係合して位置決めし、且つ該係止玉は固定管の係止孔に弾力で飛び出し圧接するようにして成ることを特徴とする請求項６記載の堅固な多段折畳自動式傘の構造。
【請求項８】
前記結合スライドパッキングの上部を固定管の管孔断面に対応した多角形体とし、下部は上部多角形体に適合した柱状体とし、その上部に玉バネ孔をあけ、該玉バネ孔内にバネと係止玉を収容し、また該固定管に係止玉と係合する係止孔を設け、固定管の下端に結合スライドパッキング下部の柱状体を覆う収束管を形成して成ることを特徴とする請求項６記載の堅固な多段折畳自動式傘の構造。
【請求項９】
前記収束管の下端周縁に弧面リブを形成して成ることを特徴とする請求項６記載の堅固な多段折畳自動式傘の構造。
【考案の詳細な説明】
【技術分野】
【０００１】
本考案は、堅固な多段折畳自動式傘の改良構造に関し、特に自動式傘を折り畳んだときには体積が最小に縮小され、中棒が堅固に伸張して使用できる多段折畳自動式傘の改良構造に関する。
【背景技術】
【０００２】
従来より、携帯に便利な折畳傘の使用者が多いが、より一層使用の便を図るため、例えば、特許文献１に開示され、図１に示すようなジャンプ式の折畳傘が提供されている。
これは自動開傘機能を具えた折畳ジャンプ傘で、該傘１は傘地１１、多段中棒１２、上ろくろ１３、中ろくろ１０、下ろくろ１４、トップ骨１５、受骨１６から構成し、該上ろくろ１３の周縁に若干のトップ骨１５を枢設して具える。中ろくろ１０の上周縁に若干の受骨１６を枢設して、トップ骨１５を支持する。下ろくろ１４の周縁に若干の引張骨１８を枢設して受骨１６を支持する。該中棒１２は多段形式とし、その上端を上ろくろ１３に固定し、中棒１２の多段管内部、及び中ろくろ１０と下ろくろ１４の間に圧縮バネ３２、３１をそれぞれ設置し、傘１を閉じた状態では中棒１２が一つに圧縮され、手元１９内のロック装置によってこれを縮小状態に保持し、同時に中ろくろ１０と下ろくろ１４の間の圧縮バネ３１は圧縮状態になり、手元１９上の作動ボタンを触発すると、ロック装置がはずれ、多段中棒１２がその管状体内の圧縮バネ３２の弾力作用により即座に開くと同時に、中ろくろ１０、下ろくろ１４は圧縮バネ３１が釈放されて、中ろくろ１０、下ろくろ１４が開き、更に引張骨１８の連動作用で中ろくろ１０、下ろくろ１４は瞬時に撥ね上がり上ろくろ１３下方に接近して傘が開く。閉じるときは下ろくろを下向きに引っ張って、圧縮バネ３１、３２の弾力を克服して傘をしまう。
【０００３】
図２に示すように、自動開閉機能を具えた別の折畳傘は、該傘１Aは傘地１１、多段中棒１２、上ろくろ１３、下ろくろ１４、トップ骨１５、受骨１６により構成する。該上ろくろ１３の周縁に若干のトップ骨１５を枢設し、下ろくろ１４の上周縁に若干の受骨１６を枢設してトップ骨１５を支持する。該中棒１２は多段形式とし、その上端を上ろくろ１４上に固定し、該中棒１２内に圧縮バネ３を設ける。下ろくろ１４と上ろくろ１３の間を牽引ケーブル４で接続し、牽引ケーブル４の外端は下ろくろ１４に接続し、上ろくろ１３上の滑車１３１、１３２及び下ろくろ１４上の滑車１３３を通って別の一端を中棒１２内に挿入し、中棒１２に沿って下向きに延伸し、手元１９のロック装置に接続する。傘を開くとき、手元１４の作動ボタンを触発するとロック装置がはずれ、多段中棒１２はその管状体内の圧縮バネ３の弾力作用で即座に開き、このとき内部に設置した牽引ケーブル４の下端はロック装置にロックされて動かず、中棒１２外の下ろくろ１４と滑車１３１の間の牽引ケーブル部分が短くなっていくことによって、下ろくろ１４が上昇して上ろくろ１４下方に接近する作用を達成して、開傘させる。傘を閉じるときは、手元１９上のボタンを作動させると、牽引ケーブル４下端のロック装置が解除されて中棒１２内の牽引ケーブル４が緩み、閉傘バネ１６１が受骨１６を引っ張り下ろくろ１４を下へ押し動かし、自動閉傘の目的を達成する。
【０００４】
以上のように、傘１と傘１Ａは自動開傘或いは自動閉傘の機能が得られたが、該中棒１２は、二段或いは多段の設計であるため、傘を縮小したいとき中棒１２はより多段設計として対応せねばならないが、この時中棒１２の外管の管径と内管管径の差が拡大され、更に下ろくろ１４と中ろくろ１０が中棒１２上で上下摺動するときに、がたついたり偏ったりしないようにするため、中棒の最小外径部を下方に位置させて手元１９と固接している。すると、中棒１２の最小外径部は直径が小さいため強度も低く、折れ曲がったり、折れて切断してしまったりし易く、堅固に開傘して使用できない。そこで現在、自動開閉折畳傘の体積と長さを最も短小化でき、且つ開傘時には中棒が傘を堅固に開いて支持できる使用状態の達成が急がれている。
【特許文献１】特開２００１−６１５２３号公報
【考案の開示】
【考案が解決しようとする課題】
【０００５】
本考案は、上ろくろの下に固定管を配置して、下ろくろが安定してこの固定管に沿って上下摺動できるようにし、傘を堅固に開いて使用する効果を達成すると同時に、傘を閉じたときは多段の中棒を全部上ろくろ下方の固定管内に収めて、傘の体積と長さを最短最小にすることを主要な目的とする。
【０００６】
また、本考案は、中棒の最小外径部の上端と上ろくろを固接するか、或いは中棒の最小外径部の上端に結合スライドパッキングを固設して、該結合スライドパッキングは固定館内に設置して、前述の構造を採用し、上ろくろと固定管の組み合わせによって下ろくろが安定して固定管に沿って上下摺動できるようにし、傘を堅固に開いて使用する効果を達成すると同時に、傘を閉じたときは多段の中棒を全部上ろくろ下方の固定館内に収めて、傘の体積と長さを最短最小にすることをもう一つの目的とする。
【課題を解決するための手段】
【０００７】
前記課題を解決するために、本考案の傘は、傘地、中棒、上ろくろ、下ろくろ、トップ骨、受骨、他の相互に結合する折畳傘骨、或いは更に中ろくろと中・下ろくろの間に設置する圧縮バネ及び多数個の引張骨を具える。該上ろくろ周縁に傘地を支持する複数個のトップ骨を枢設し、下ろくろ周縁にトップ骨を支持する多数個の受骨を枢設する。中骨は伸縮可能な多段嵌挿構造とし、且つ中棒内に圧縮バネを設置し、トップ骨を枢設した上ろくろの下に固定管を設置し、更に該固定管の上端と上ろくろを固接し、下ろくろを固定管の外に通して配置したものである。
【０００８】
すなわち、請求項１の考案は、堅固な多段折畳自動式傘において、傘は、傘地、中棒、上ろくろ、下ろくろ、トップ骨、受骨及び他の相互に組み合う多段の傘骨を具え、或いは更に中ろくろ及び中・下ろくろの間に設置する圧縮バネ及び複数個の引線を具え、その内で該上ろくろ周縁に傘地を支持するトップ骨を複数個枢設し、下ろくろ周縁にトップ骨を支持する受骨を複数個枢設し、中棒は伸縮可能な多段嵌挿構造とし、且つ中棒内に圧縮バネを設置し、トップ骨を枢設する上ろくろの下に固定管を設け、該固定管の上端と上ろくろを接続固定し、更に下ろくろを固定管の外側に通して設けて成ることを特徴とする堅固な多段折畳自動式傘の構造である。
【０００９】
請求項２の考案は、前記固定管と上ろくろを、二つの部材を接続して構成してよく、一体成型としてもよいようにして成ることを特徴とする請求項１記載の堅固な多段折畳自動式傘の構造である。
請求項３の考案は、前記固定管の横断面は円形、矩形、楕円形或いは多角形の中の任意の一種の形状とするようにして成ることを特徴とする請求項1記載の堅固な多段折畳自動式傘の構造である。
請求項４の考案は、前記固定管の下端周縁に弧面リブを設けて成ることを特徴とする請求項１記載の堅固な多段折畳自動式傘の構造である。
請求項５の考案は、前記中棒の最小外径部の上端と上ろくろを固接して成ることを特徴とする請求項１記載の堅固な多段折畳自動式傘の構造である。
請求項６の考案は、前記中棒の最小外径部の上端に結合スライドパッキングを固設し、且つ該結合スライドパッキングを固定管内に設置するようにして成ることを特徴とする請求項１記載の堅固な多段折畳自動式傘の構造である。
請求項７の考案は、前記結合スライドパッキング上に玉バネ孔と係止凹部を設け、該玉バネ孔内にバネと係止玉を収容し、該固定管には結合スライドパッキング係止凹部と係合する係止ブロック或いは係止当接部、及び係止玉と係合する係止孔をそれぞれ設け、係止ブロック或いは係止当接部は中棒を引き伸ばした状態で結合スライドパッキングの係止凹部と相互に係合して位置決めし、且つ該係止玉は固定管の係止孔に弾力で飛び出し圧接するようにして成ることを特徴とする請求項６記載の堅固な多段折畳自動式傘の構造である。
請求項８の考案は、前記結合スライドパッキングの上部を固定管の管孔断面に対応した多角形体とし、下部は上部多角形体に適合した柱状体とし、その上部に玉バネ孔をあけ、該玉バネ孔内にバネと係止玉を収容し、また該固定管に係止玉と係合する係止孔を設け、固定管の下端に結合スライドパッキング下部の柱状体を覆う収束管を形成して成ることを特徴とする請求項６記載の堅固な多段折畳自動式傘の構造である。
請求項９の考案は、前記収束管の下端周縁に弧面リブを形成して成ることを特徴とする請求項６記載の堅固な多段折畳自動式傘の構造である。
【考案の効果】
【００１０】
本考案の構造によれば、多段折畳自動式傘の下ろくろと中ろくろは、固定管上を安定して摺動でき、がたつきが起こらず、中棒が堅固に傘を開いて使用できるようになったと同時に、本考案は中棒の最大外径部の管状体を下方に位置させて手元で固接したため、強度が高く、中棒が折れにくくなり、傘の使用寿命が延びた。また傘を閉じるとき、多段の中棒を全部上ろくろ下方の固定管内に収めることができるため、傘の体積と長さが最小になり、現有の傘と比較して、より実用価値と経済価値を具えている。
【考案を実施するための最良の形態】
【００１１】
本考案の好適な実施例ついて図を参照して説明する。
図３は本考案を一般の折畳自動開傘に用いた実施例１の場合であるが、実施例１の傘２は、傘地２１、多段中棒２２、上ろくろ２３、中ろくろ２０、下ろくろ２４、トップ骨２５、受骨２６から構成し、該上ろくろ２３周縁に若干のトップ骨２５を枢設し、中ろくろ２０の上周縁に若干の受骨２６を枢設してトップ骨２５を支持し、下ろくろ２４周縁に若干の引張骨２６１を枢設して受骨２６を引っ張り動かす。該中棒２２は多段形式とし、その上端を上ろくろ２３に固定し、多段中棒２２の内部、及び中ろくろ２０と下ろくろ２４の間に、圧縮バネ３４、３３を設置する。中棒２２の最小外径部の外に固定管２７を設け、該固定管２７の管孔は中棒の最大外径部を収容できるようにし、固定管２７上端とトップ骨２５を枢設する上ろくろ２３を固接する。中ろくろ２０、下ろくろ２４を合わせて固定管２７の外に通して設置し、中ろくろ２０、下ろくろ２４が固定管２７に沿って上下に摺動できるようにする。
【００１２】
上述の固定管２７の横断面は、必要に応じて異なる形状に設けることができ、例えば円形、矩形、楕円形、多角形などであってよい。
図４に示すように、該固定管２７の下端周縁に弧面リブ２７１を形成して、これにより端部で使用者が手を傷つけることがないように、使用者を保護する。
以上を総合し、図５では、上ろくろ２３と固定管２７とを一体成型としている。
【００１３】
本考案の実施例１の変形を図６に示す。
実施例１の変形が上述の図５に示す実施方法と異なる点は、上述の実施方法で固定管２７と上ろくろ２３を一体成型としたものを、本実施例では固定管２７は上ろくろ２３と分離状態の構造を採用したところである。該上ろくろ２３に下向きに結合部２３１を形成し、この結合部２３１に結合孔２３２を設け、固定管２７上に結合孔２３２に対応する挿入結合孔２７４を設け、鋲２７６を挿入して、かしめられるようにして、上ろくろ２３と固定管２７を接続する。
本実施例の使用過程では、傘２が閉じた状態では中棒２２が一つに圧縮されて、手元２９内のロック装置によってその収縮状態を保持し、同時に中ろくろ２０と下ろくろ２４の間の圧縮バネ３３は圧縮された状態にある。手元２９上の作動ボタンを触発すると、ロック装置がはずれ、多段中棒２２は管状体内の圧縮バネ３４の弾力作用によって即座に広がり、それと同時に下ろくろ２４は圧縮バネ３３の作用によって上向きに中ろくろ２０に接近することにより、傘１が開くようにし、閉じるときは外力によって圧縮バネ３１、３２の弾力を克服して傘１を閉じればよい。
【００１４】
本考案の実施例２を図７に示すが、実施例２は、牽引ケーブル式自動開閉傘２Ａにも適用でき、同様に中棒２２の最小外径部の外に固定管２７を設け、該固定管２７上端とトップ骨２５を枢設した上ろくろ２３を固接或いは一体成型し、且つ下ろくろ２４を合わせて固定管２７の外に通して設けると、下ろくろ２４は固定管２７に沿って上下に摺動することができる。中棒２２の最小外径部の上端を上ろくろ２３に固定し、開傘時には手元２９上の作動ボタンを触発すると、ロック装置がはずれ、多段中棒２２がその管状体内の圧縮バネ３０の弾力作用により即座に伸張し、この時内部に配置した牽引ケーブル４の下端はロック装置が手元２９内にロックされて動かないため、中棒２２の外の下ろくろ２４と滑車の間の牽引ケーブル部分が短くなっていき、下ろくろ２４が上昇して上ろくろ２３下方に接近し、傘が開く。閉傘時には、手元２９上のボタンを動かすと牽引ケーブル４下端のロック装置がはずれ、中棒２２内の牽引ケーブル４が緩んで下ろくろ２４は受骨２６に対する支持を失い、閉傘バネ２６２の収縮により受骨２６が下ろくろ２４を下へ押し動かし、自動閉傘の目的を達成する。
【００１５】
本考案の実施例３を図８に示して説明するが、実施例３は実施例１の構造と類似し、全体としては一般の自動式傘であり、異なるのは実施例の中棒２２の最小外径部の上端が上ろくろ２３に直接固定されていないことである。本実施例で採用した構造は、該傘２Ｂは同様に傘時２１、多段中棒２２、上ろくろ２３、中ろくろ２０、下ろくろ２４、トップ骨２５、受骨２６により構成する。該上ろくろ２３周縁に若干のトップ骨２５を枢設する。中ろくろ２０の上周縁に若干の受骨２６を枢設してトップ骨２５を支持する。下ろくろ２４の周縁に若干の引張骨２６１を枢設する。
多段中棒２２の内部、及び中ろくろ２０と下ろくろ２４の間に圧縮バネ３４、３３を設置し、中棒２２の最小外径部の外に固定管２７を設け、該固定管２７上端とトップ骨２５を枢設した上ろくろ２３を固接或いは一体とし、中ろくろ２０、下ろくろ２４を合わせて固定管２７の外に通して設置すると、中ろくろ２０、下ろくろ２４は固定管２７に沿って上下に摺動することができる。中棒２２の最小外径部の上端に結合スライドパッキング２８を固設し、該結合スライドパッキング２８は固定管２７内に設置し、結合スライドパッキング２８が固定管２７内で上下摺動できるようにする。
【００１６】
図９及び図１０に示すように、実施例３では上ろくろ２３と固定管２７の間の接続構造は実施例１の構造と同様で、同じく上ろくろ２３と固定管２７の一体成型及び上ろくろ２３と固定管２７の分離状態の二種の構造を含む。本実施例では結合スライドパッキング２８を鋲固定部材２８４１を使って中棒２２と結合している。中棒２２の最小外径部上端で適当に組み合わせた結合スライドパッキング２８上に結合孔２８４をあけ、鋲固定部材２８４１を中棒２２の最小外径部上端及び結合孔２８４に挿入して結合スライドスプリング２８と中棒２２の最小外径部上端を結合する。結合スライドパッキング２８上に玉バネ孔２８１と係止凹部２８５を設け、該玉バネ孔２８１内にバネ２８１と係止玉２８３を収容する。固定管２７上に、係止玉２８３及び係止凹部２８５と係合する係止孔２７２及び係止ブロック２９０、或いは係止当接部２７５を設け、係止孔２７２は必要に応じて固定管２７の適当な位置に設ける。中棒２２が伸張すると、固定管２７上の係止ブロック２９０、或いは係止当接部２７５と結合スライドパッキング２８上の係止凹部２８５が相互に係合して位置決めされ、係止玉２８３は固定管２７上の係止孔２７２に飛び出て圧接し、結合スライドパッキング２８と固定管２７を堅固に一体に結合する。更に係止ブロックの側面に固定ピン２９１を設け、固定管２７上に固定ピン２９１に対応した固定孔２７３を設け、固定ピン２９１は固定孔２７３内に挿入設置でき、係止ブロック２９０を堅固に固定管２７下端内に、かしめるか或いは粘着接続する。
【００１７】
本実施例で固定管２７内に結合スライドパッキング２８を設置し、傘２Ｂが開くと該固定管２７は多段中棒２２の長さを増加分となる。傘２Ｂを閉じる時、該多段中棒２２は全部上ろくろ２３下方の固定管２７内に収縮し、傘２Ｂの体積と長さは最短最小を達成する。
【００１８】
上述の実施例で結合スライドパッキング２８と固定管２７は別の構造を採用することもできる。図１１に示すように、該実施例では結合スライドパッキング２８上部２８０１を固定管２７の管孔断面に対応して正六角形体とし、その下部２８０２は上部２８０１の正六角形を切除した円柱体とする。上部２８０１上に玉バネ孔２８１をあけ、該玉バネ孔２８１内にバネ２８２と係止玉２８３を収容し、該固定管２７に係止玉２８３と係合する係止孔２７２を設け、固定管２７の下端に結合スライドパッキング２８下部２８０２柱状体に対応した収束管２７０を形成し、収束管２７０下端周縁に弧面リブ２７１を形成する。また、結合スライドパッキング２８はここでも鋲固定部材２８４１（図１０に示す）を使用して中棒２２の最小外径部の上端と結合してよい。中棒２２が伸張すると、結合スライドパッキング２８は中棒２２が開くことにより固定管２７下端にスライドし、この時結合スライドパッキング２８の下部２８０２は、固定管２７の収束管２７０の中に落ち込み、上部２８０１内の係止玉２８３は、固定管２７の係止孔２７２から飛び出て圧接し、結合スライドパッキング２８と固定管２７を堅固に一体に結合する。組み立ての過程では、上ろくろ２３上に固定管２７と通じる通孔２３３を設けて、結合スライドパッキング２８を先にこの通孔２３３から固定管２７の中にスライドさせてから、中棒２２上端と結合させる。
【００１９】
また、本実施例の固定管２７上端とトップ骨２５を枢設した上ろくろ２３は、一体として（図１１に示す）よく、或いは固接する方式（図１２に示し、具体的な説明は前述）を採用してもよい。固接方式を採用した場合、図１２に示すように、組み立ての過程では、先に結合スライドパッキング２８を固定管２７上端の開口部から固定管２７の中にスライドさせて入れてから、上ろくろ２３と固定管２７を固接する。
【００２０】
図１３に示す本考案の実施例四では、牽引ケーブル式自動開閉傘２Ｃとし、同様に固定管２７内に結合スライドパッキング２８を設置し、及び中棒２２上端と結合スライドパッキング２８を固接する方式を採用し、具体的構造の説明は上述の実施例二と実施例三を総合し、ここでは述べない。
【００２１】
以上から、本考案の各実施例は、前述したような構造を採用して、多段折畳自動式傘の下ろくろ２４と中ろくろ２０は堅固に固定管２７上をスライドし、ガタツキは起こらずに、中棒２２が傘を堅固に支持して開くことができ、同時に本考案の中棒２２の最大外径の管状体を下方に位置させて手元２９と固接しているため、強度が高く、中棒の彎曲が防止され、傘の使用寿命が延びる。更に傘を閉じると多段中棒２２を全部上ろくろ２３下方の固定管２７内に収容できるため、傘の体積と長さが最小になり、従来の傘と比較してより実用価値と経済価値そ具えるようになった。
【図面の簡単な説明】
【００２２】
【図１】公知の自動折畳傘の略図である。
【図２】公知の別の一種の自動折畳傘の略図である。
【図３】本考案の実施例一の構造略図である。
【図４】図３のＡ箇所の局部拡大図である。
【図５】図３の上ろくろと固定管のアセンブリ立体図である。
【図６】図３の上ろくろと固定管の別の実施方法の立体図である。
【図７】本考案の実施例二の構造略図である。
【図８】本考案の実施例三の構造略図である。
【図９】図８の上ろくろと固定管のアセンブリ立体図である。
【図１０】図８の上ろくろと固定管の別の実施方法の立体図である。
【図１１】図８のもう一つの実施方法の立体図である。
【図１２】図１１の更に別の実施方法の立体図である。
【図１３】本考案の実施例四の構造略図である。
【符号の説明】
【００２３】
１          傘
１Ａ        傘
１０        中ろくろ
１１        傘地
１２        多段中棒
１３        上ろくろ
１３１            滑車
１３２            滑車
１３３            滑車
１４        下ろくろ
１５        トップ骨
１６        受骨
１６１            バネ
１８        引張骨
１９        手元
２          傘
２Ａ        傘
２Ｂ        傘
２０        中ろくろ
２１        傘地
２２        多段中棒
２３        上ろくろ
２３１            結合部
２３２            結合孔
２３３            通孔
２４        下ろくろ
２５        トップ骨
２６        受骨
２６１            引張骨
２６２            閉傘バネ
２７        固定管
２７０            収束管
２７１            弧面リブ
２７２            係止孔
２７３            固定孔
２７４            挿入結合孔
２７５        係止当接部
２７６            鋲
２８        結合スライドパッキング
２８０１    上部
２８０２    下部
２８１            玉バネ孔
２８２            バネ
２８３            係止玉
２８４            結合孔
２８４１    鋲固定部材
２８５            係止凹部
２９        手元
２９０            係止ブロック
２９１            固定ピン
３          圧縮バネ
３０        圧縮バネ
３１        圧縮バネ
３２        圧縮バネ
３３        圧縮バネ
３４        圧縮バネ
４          牽引ケーブル
【図１】
0003106536.tif 000003
【図２】
0003106536.tif 000004
【図３】
0003106536.tif 000005
【図４】
0003106536.tif 000006
【図５】
0003106536.tif 000007
【図６】
0003106536.tif 000008
【図７】
0003106536.tif 000009
【図８】
0003106536.tif 000010
【図９】
0003106536.tif 000011
【図１０】
0003106536.tif 000012
【図１１】
0003106536.tif 000013
【図１２】
0003106536.tif 000014
【図１３】
0003106536.tif 000015